(57)【要約】      （修正有）【課題】広告情報自体に改変を加えずに、広告情報へのユーザの注目を向上させる装置を提供する。【解決手段】サーバ装置１０４は、複数の広告情報を蓄積する外部メモリと、前記複数の広告情報の各々を特定する広告情報ＩＤを少なくとも一つのグループと関連づけて記憶する広告情報管理テーブルと、前記複数の広告情報を選択可能な表示画面を情報処理端末に表示させる表示データ作成モジュール５０６と、前記情報処理端末の操作によって選択された複数の広告情報のそれぞれを特定する複数の広告情報ＩＤを受信し、受信した複数の広告情報ＩＤに共通のグループが関連づけられているか判定する判定モジュール５０８と、判定モジュール５０８の判定結果に応じて、前記共通のグループに関連づけられた処理を実行するグループＩＤモジュール５１０と、を備える。【選択図】図５
2013008080.tif 000002
【特許請求の範囲】
【請求項１】
情報処理端末との通信を制御する通信制御手段と、
複数の広告情報を蓄積する蓄積手段と、
前記複数の広告情報の各々を特定する広告情報ＩＤを少なくとも一つのグループと関連づけて記憶する広告情報管理手段と、
前記複数の広告情報を選択可能な表示画面を前記情報処理端末に表示させる表示管理手段と、
前記情報処理端末の操作によって選択された複数の広告情報のそれぞれを特定する複数の広告情報ＩＤを受信し、受信した複数の広告情報ＩＤに共通のグループが関連づけられているか判定する判定手段と、
前記判定手段の判定結果に応じて、前記共通のグループに関連づけられた処理を実行する実行手段と、
を備える情報処理装置。
【請求項２】
前記実行手段の処理結果を前記情報処理端末に提供する手段をさらに備える請求項１に記載の情報処理装置。
【請求項３】
前記共通のグループに関連づけられた処理が、前記通信端末装置のユーザに対するポイントの付与である請求項１に記載の情報処理装置。
【請求項４】
前記共通のグループに関連づけられた処理が、前記共通のグループに関連づけられたウェブサイトへアクセスするための情報の提供である請求項１に記載の情報処理装置。
【請求項５】
ネットワークを介して複数の情報処理端末と通信可能なサーバ装置において実行される方法であって、
前記サーバ装置において、複数の広告情報を蓄積するステップと、
前記サーバ装置において、前記複数の広告情報の各々を特定する広告情報ＩＤを少なくとも一つのグループと関連づけて記憶するステップと、
前記複数の広告情報を選択可能な表示画面を前記情報処理端末に表示させるステップと、
前記情報処理端末の操作によって選択された複数の広告情報のそれぞれを特定する複数の広告情報ＩＤを前記サーバ装置において受信するステップと、
前記サーバ装置において、受信した複数の広告情報ＩＤに共通のグループが関連づけられているか判定するステップと、
前記サーバ装置において、前記受信した複数の広告情報ＩＤに共通のグループが関連づけられていると判定された場合に、前記共通のグループに関連づけられた処理を実行するステップと、
を備える方法。
【請求項６】
ネットワークを介して複数の情報処理端末と通信可能な装置に備えられるコンピュータにおいて実行されるプログラムであって、当該プログラムに、
複数の広告情報を蓄積する手順と、
前記サーバ装置において、前記複数の広告情報の各々を特定する広告情報ＩＤを少なくとも一つのグループと関連づけて記憶する手順と、
前記複数の広告情報を選択可能な表示画面を前記情報処理端末に表示させる手順と、
前記情報処理端末の操作によって選択された複数の広告情報のそれぞれを特定する複数の広告情報ＩＤを受信する手順と、
前記サーバ装置において、受信した複数の広告情報ＩＤに共通のグループが関連づけられているか判定する手順と、
前記サーバ装置において、前記受信した複数の広告情報ＩＤに共通のグループが関連づけられていると判定された場合に、前記共通のグループに関連づけられた処理を実行する手順と、
を実行させるプログラム。
【発明の詳細な説明】
【技術分野】
【０００１】
本発明は、端末装置に表示される広告情報への注目を促す装置、方法、及びプログラムに関する。
【背景技術】
【０００２】
周知のように、ウェブページの閲覧中に、当該ウェブページに表示される広告情報が注目されることは稀である。実際に、広告情報の表示回数に対するクリック回数の割合であるクリックスルー率は０．０５％程度に過ぎないといわれている。このため、ウェブページに表示される広告情報の広告効果を向上させるための様々な工夫が試みられている。例えば、広告情報の審美的な側面に着目し、表示される広告情報自体をスタイリッシュなものにしたり、刺激的なキャッチコピーを使用してユーザの関心を惹いたりすることは、広告情報の製作過程で通常行われることである。また、広告情報をアニメーションで表現することにより、ユーザの注意を惹きつけることもよく行われている。
【０００３】
一方、広告情報とは本来的に無関係であるがユーザの関心を惹く情報を、広告情報と共にウェブページに表示することも行われている。例えば、特開２００９−８０５３５号公報（特許文献１）には、端末装置が広告表示を含むウェブページにアクセスした際に当選判定を行い、判定結果に応じて広告情報の表示領域に当選したことを表示する手法が開示されており、この手法によって、当選判定の結果によらずユーザの視線を広告情報の表示領域に誘導できるとされている。また、特開２００２−１８３５８１号公報（特許文献２）には、ウェブページの広告情報表示領域に、表示されている広告がポイント付与対象であることを示し、この表示によりユーザにバナー広告のクリックを促すことが開示されている。
【先行技術文献】
【特許文献】
【０００４】
【特許文献１】特開２００９−８０５３５号公報
【特許文献２】特開２００２−１８３５８１号公報
【発明の概要】
【発明が解決しようとする課題】
【０００５】
従来の手法は、広告情報自体をアニメーション等により注目を惹くように作成したり、懸賞等に関する情報を表示することによりユーザの注目を惹こうとする。しかしながら、広告情報自体をユーザの注意を惹くように作成することは、簡易な広告情報を作成する場合と比べて広告主にとってコスト面の負担が大きい。また、懸賞等に関する情報を広告情報とともに表示することは、審美的な面で広告情報の価値を下げる傾向があるし、著作権法や広告主との契約による制限により、広告情報に新たな情報を付加できるとは限らない。
【０００６】
そこで、本発明の様々な実施形態によって、広告情報自体に改変を加えずに、広告情報へのユーザの注目を向上させる装置、方法、システム、及びプログラムを提供する。
【課題を解決するための手段】
【０００７】
本発明の一実施形態に係る情報処理装置は、情報処理端末との通信を制御する通信制御手段と、複数の広告情報を蓄積する蓄積手段と、前記複数の広告情報の各々を特定する広告情報ＩＤを少なくとも一つのグループと関連づけて記憶する広告情報管理手段と、前記複数の広告情報を選択可能な表示画面を前記情報処理端末に表示させる表示管理手段と、前記情報処理端末の操作によって選択された複数の広告情報のそれぞれを特定する複数の広告情報ＩＤを受信し、受信した複数の広告情報ＩＤに共通のグループが関連づけられているか判定する判定手段と、前記判定手段の判定結果に応じて、前記共通のグループに関連づけられた処理を実行する実行手段と、を備える。
【発明の効果】
【０００８】
本発明の様々な実施形態によって、情報処理端末に表示される広告情報にユーザの注目を集める装置、方法、システム、及びプログラムが提供される。
【図面の簡単な説明】
【０００９】
【図１】本発明の一実施形態を概略的に示すネットワーク構成図
【図２】本発明の一実施形態におけるサーバ装置アーキテクチャを概略的に示すブロック図
【図３】本発明の一実施形態における広告情報管理テーブルを概略的に示す図
【図４】情報処理端末における広告情報の表示例
【図５】本発明の一実施形態におけるサーバ装置の機能を概略的に示すブロック図
【図６】本発明の一実施形態における処理手順を示すフロー図
【発明を実施するための形態】
【００１０】
以下、添付図面を参照し、本発明の実施形態を説明する。図１は、本発明の一実施形態を概略的に示すネットワーク構成図である。図１に示すように、本発明の一実施形態におけるサーバ装置１０４は、通信網１０６を介し、通信機能を備える複数の情報処理端末１０２ａ、１０２ｂ、及び１０２ｃと通信可能に接続されている。本明細書において、情報処理端末１０２ａ、１０２ｂ、及び１０２ｃを「情報処理端末１０２」と総称することがある。サーバ装置１０４には、情報処理端末１０２に対して送信可能なＨＴＭＬデータが格納されている。また、サーバ装置１０４には、当該ＨＴＭＬデータとともに情報処理端末１０２に提供される広告情報が格納されている。サーバ装置１０４は、情報通信端末１０２からの要求に応じて、複数の広告情報を含むウェブページを情報通信端末１０２に提供することができる。
【００１１】
情報処理端末１０２は、通信網１０６を介してサーバ装置１０４にアクセスし、サーバ装置１０４に蓄積されたＨＴＭＬデータや広告情報を取得し、取得したデータをブラウザ等の機能を利用してディスプレイに表示する。本発明の一態様において、広告情報は、ＨＴＭＬデータにより定義された表示領域に表示される。広告情報は、いわゆるバナー広告の形式で情報処理端末１０２のディスプレイに表示されてもよい。
【００１２】
図２は、本発明の一実施形態におけるサーバ装置１０４のアーキテクチャを概略的に示すブロック図である。図示のとおり、サーバ装置１０４は、送受信機２０１と、ＣＰＵ２０３と、メインメモリ２０４と、ユーザＩ／Ｏ２０５と、外部メモリ２０６とを含む。これらの要素は、内部バス２０２により互いに電気的に接続されている。送受信機２０１は、ハードウェア、ファームウェア、又はＴＣＰ／ＩＰドライバやＰＰＰドライバ等の通信用ソフトウェア又はこれらの組み合わせとして実装され、通信網１０６を介して情報処理端末１０２と通信可能に構成される。ＣＰＵ２０３は、外部メモリ２０６からオペレーティングシステムやアプリケーションプログラム等のプログラムをメインメモリ２０４にロードし、ロードしたプログラムに含まれる指令を実行する。メインメモリ２０４は、ＣＰＵ２０３が実行するプログラムを格納するために用いられ、例えば、ＤＲＡＭによって構成される。ユーザＩ／Ｏ２０５は、例えば、サーバ装置１０４のオペレータの入力を受け付けるキーボードやマウス等の情報入力装置と、ＣＰＵ２０３の演算結果を出力する液晶ディスプレイ等の情報出力装置を含む。外部メモリ２０６は、例えば磁気ディスクドライブで構成され、ＣＰＵ２０３に実行されるプログラムや、情報処理端末１０２に送信されるＨＴＭＬデータ及び広告情報等を格納する。外部メモリ２０６には、例えば、ＨＴＭＬデータ蓄積部２１０と、広告情報蓄積部２１２と、管理テーブル保持部２１４とが含まれる。
【００１３】
ＨＴＭＬデータ蓄積部２１０は、ウェブページを表す複数のＨＴＭＬデータを蓄積する。情報処理端末１０２からの要求に応じてダウンロードされたＨＴＭＬデータは、情報処理端末１０２に備えられたブラウザによってレンダリングされ、レンダリングによって得られたデータが情報処理端末１０２のディスプレイに出力される。これにより、ＨＴＭＬデータが表すウェブページが情報処理端末１０２に表示される。ＨＴＭＬデータ蓄積部２１０には、サーバ装置１０４が提供するウェブサイトのトップページを表すＨＴＭＬデータが蓄積される。本発明の一実施形態において、サーバ装置１０４は複数の広告情報を含む広告情報提供サイトを提供するウェブサーバであり、そのトップページには、他の情報とともに複数の広告情報が所定の表示領域に表示される。サーバ装置１０４は、ＨＴＭＬデータ蓄積部２１０に蓄積されたＨＴＭＬデータと広告情報蓄積部２１２に蓄積された広告情報とに基づいて情報処理端末１０２に送信するデータを動的に生成することができる。
【００１４】
広告情報蓄積部２１２には、複数の広告情報が蓄積される。広告情報は、例えば、ＧＩＦ形式やＪＰＥＧ形式の画像データ、アニメーションＧＩＦ形式やＭＰＥＧ形式の動画データとして保存される。広告情報のデータ形式は特定のものに限定されない。本発明の一態様において、広告情報は、情報処理端末１０２からの要求に応じて、ＨＴＭＬデータ蓄積部２１０に蓄積されたＨＴＭＬデータや当該広告情報を識別する広告情報ＩＤとともに情報処理端末１０２に送信され、情報処理端末１０２のディスプレイに、ダウンロードされたＨＴＭＬデータが表すウェブページの一部として表示される。広告情報は、いわゆるバナー広告の形式で表示されてもよい。
【００１５】
管理テーブル保持部２１４には、広告情報管理テーブル３００が保持される。広告情報管理テーブル３００には、広告情報ＩＤフィールド３０２とグループＩＤフィールド３０４とが含まれる。広告情報ＩＤフィールド３０２には、広告情報蓄積部２１２に蓄積された広告情報のそれぞれを一意に特定するＩＤが格納される。図示のとおり、管理テーブル保持部２１４の広告情報には、一又は複数のグループに属しており、この所属グループを特定するグループＩＤが広告情報ごとにグループＩＤフィールド３０４に格納される。図３には、レコード３１２、３１４、３１６が例示されている。例えば、レコード３１２に格納された広告情報は、その広告情報ＩＤが「２０４１」であり、グループＩＤ「Ａ２４」を有するグループとグループＩＤ「Ｃ８」を有するグループの２つのグループに属している。広告情報は一又は複数のグループに属することができ、例えば、レコード３１２の広告情報は二つのグループ、レコード３１４の広告情報は一つのグループ、レコード３１６の広告情報は三つのグループに属している。本発明の一態様において、広告情報管理テーブル３００においては、広告情報が広告情報蓄積部２１２に追加されたことを契機として、当該追加された広告情報を示すレコードが作成される。
【００１６】
上述のとおり、広告情報は、一又は複数のグループに分類される。例えば、新作商品の宣伝に関する広告情報と、当該新作商品が販売されているオンラインショッピングサイトを宣伝する広告情報とを一つのグループに分類することができる。また、他の例においては、映画のＤＶＤ販売を告知する広告に関する広告情報と、当該映画のサウンドトラックを収録したＣＤの販売を告知する広告に関する広告情報とを一つのグループに分類することができる。さらに他の例においては、同一企業が商品を複数のブランド名で展開している場合に、個々のブランドに関する広告情報同士を一つのグループに分類することができる。アパレル企業は、ターゲットとする顧客層ごとに異なるブランド名を用いて販売活動を行うことが通例であるが、一つのアパレル企業傘下のブランドに関する複数の広告情報を一つのグループに分類することができる。本明細書で具体的に説明する以外にも、様々な観点から、広告情報を一又は複数のグループに分類することができる。
【００１７】
図４を参照して、本発明の一実施携帯におけるＨＴＭＬデータ及び広告情報の表示画面の例を説明する。図４は、サーバ装置１０４からダウンロードされたＨＴＭＬデータ及び広告情報を情報処理端末１０２のディスプレイに表示する場合の表示画面４００の一例を示す。図示のとおり、画面上部には、広告情報表示領域４０２が存在する。広告情報表示領域４０２は、六角形形状の複数の個別表示領域が集合して構成される。広告情報表示領域４０２を構成する個別の表示領域の形状は六角形に限られず、現在広く普及している四角形形状でもよい。広告情報表示領域４０２に含まれる個別の表示領域のそれぞれに、サーバ装置１０４から提供された広告情報が表示される。例えば、この個別の表示領域には、通常のバナー広告と同様に、特定の商品やサービスの広告を端的に表示した画像が表示される。広告情報表示領域４０２には、広告情報を意図的に識別不可能な状態で表示してもよい。例えば、広告情報表示領域４０２の個別の表示領域に、当該表示領域に割り当てられた広告情報に代えて、広告情報の内容を特定できない情報を表示してもよい。例えば、広告情報表示領域４０２に含まれる個別の表示領域を一色に塗りつぶしてもよい。この広告情報が識別不可能な表示領域は、クリックされることにより、当該表示領域に割り当てられた広告情報を表示するようにしてもよい。
【００１８】
表示画面４００下部の左方には、テキスト情報のテキスト表示領域４０４、４０６、４０８が配置されている。情報処理端末１０２は、ダウンロードしたＨＴＭＬデータに基づいて、テキスト表示領域４０４、４０６、４０８に所定のテキストを表示する。図４の例においては、テキスト表示領域４０４には新商品に関する情報（「ＡＢＣコーラに新しいラインアップが追加！」）が表示され、表示領域４０６にはセールに関する情報（「ＸＹＺマート、年末大決算セール開催中！」）が表示され、表示領域４０８にはキャンペーンに関する情報（「０１２通信、新規加入者キャンペーン中」）に関する情報が表示されている。これら以外にも、テキスト表示領域４０４、４０６、４０８には、ＨＴＭＬデータの記述に基づき、企業の宣伝広告に関する様々な情報を表示することができる。
【００１９】
テキスト表示領域４０４、４０６、４０８の右方には、複数の入力領域４１０、４１２、４１４が配置される。図４に示す例においては、テキスト表示領域４０４の右方にテキスト表示領域４０４と関連づけられた二つの入力領域４１０が配置され、表示領域４０６の右方に表示領域４０６と関連づけられた三つの入力領域４１２が配置され、表示領域４０８の右方に表示領域４０８と関連づけられた二つの入力領域４１４が配置されている。情報処理端末１０２のユーザは、マウスやタッチスクリーン等の入力装置を用いて広告情報表示領域４０２に表示された広告情報の中から所望の広告情報を選択し、その選択した広告情報を特定する情報を入力領域４１０、４１２、４１４のいずれかに入力することができる。この入力操作は、公知の様々な方法を用いて実行することができる。例えば、マウスのいわゆるドラッグアンドドロップ操作により、画面表示された広告情報をドラッグし、選択した広告情報を入力領域４１０、４１２、４１４のいずれかにドロップすればよい。広告情報の選択方法、及び、選択した広告情報を入力領域４１０、４１２、４１４に入力する方法は、上記のものに限られず、当業者に明らかな様々な方法を用いることができる。例えば、入力領域４１０、４１２、４１４に、キーボード等の操作により、広告情報を特定するテキストを入力してもよい。情報処理端末１０２の表示画面においては、テキスト表示領域４０４、４０６、４０８、及び／又は、入力領域４１０、４１２、４１４を省略してもよい。例えば、広告情報表示領域４０２の個別の表示領域をマウスでクリックすることにより当該広告情報を選択した状態とし、複数の広告情報を選択した時点で、選択された広告情報を確定させればよい。
【００２０】
ユーザがテキスト表示領域４０４に表示された情報に着目する場合には、テキスト表示領域４０４に表示された「ＡＢＣコーラ」に関連する広告情報を広告情報表示領域４０２から二つ選択し、選択した広告情報を入力領域４１０に入力する。広告情報表示領域４０２には、「ＡＢＣコーラ」に関連する様々な広告情報が表示される。例えば、「ＡＢＣコーラ」の販促キャンペーンを告知する広告情報、「ＡＢＣコーラ」の製造元が製造する他の飲料水に関する広告情報、「ＡＢＣコーラ」のテレビコマーシャルに用いられている楽曲の販売に関する広告情報などが表示される。ユーザは、広告情報表示領域４０２に表示された多数の広告情報の中から、上述した「ＡＢＣコーラ」に関連すると思われる広告情報を二つ選択し、選択した広告情報を入力領域４１０に入力する。
【００２１】
本発明の一実施形態において、情報処理端末１０２は、入力領域４１０、４１２、４１４のいずれかに複数の広告情報が入力されたときに、入力された広告情報を特定する広告情報ＩＤを互いに関連づけてサーバ装置１０４に送信する。例えば、入力領域４１０に二つの広告情報が入力された場合に、入力領域４１０に入力された二つの広告情報を特定する広告情報ＩＤがサーバ装置１０４に送信される。広告情報ＩＤのサーバ装置１０４への送信は、入力領域４１０、４１２、４１４への所定数（例えば、入力領域４１０、４１４については二つ、入力領域４１２については三つ）の広告情報の入力が完了した時点で自動的に行われてもよいし、所定数の広告情報の入力後又は入力途中にユーザに送信確認が入力されてから行われてもよい。
【００２２】
図５は、サーバ装置１０４の機能を説明する図である。図５に示されるサーバ装置１０４の機能は、図２に示すサーバ装置１０４の各構成要素によって実現される。図５に示すように、サーバ装置１０４は、通信モジュール５０２と、テーブル管理モジュール５０４と、表示データ作成モジュール５０６と、判定モジュール５０８と、グループＩＤモジュール５１０とを含む。
【００２３】
通信モジュール５０２は、情報処理端末１０２との間で様々な情報を送受信する。例えば、情報処理端末１０２に対して、ＨＴＭＬデータ蓄積部２１０のＨＴＭＬデータや広告情報蓄積部２１２の広告情報を送信し、情報処理端末１０２から、ユーザによって選択された広告情報を特定する広告情報ＩＤを受信する。
【００２４】
テーブル管理モジュール５０４は、広告情報管理テーブル３００の新規レコードの作成、レコードの更新、レコードの検索、レコードの読み出しを行う。特に、広告情報蓄積部２１２に広告情報が追加されたときに、当該広告情報の広告情報ＩＤに、当該広告情報が属するグループのグループＩＤを対応づけて格納する。また、読み出した情報を表示データ作成モジュールや判定モジュール等の他のモジュールに提供する。
【００２５】
表示データ作成モジュール５０６は、ＨＴＭＬデータ蓄積部２１０から読み出したＨＴＭＬデータを、当該ＨＴＭＬデータに対応づけられている広告情報と対応づけて情報処理端末１０２に送信する。表示データ作成モジュール５０６は、ＨＴＭＬデータの記述、及び、所定のアルゴリズムに基づいて、広告情報蓄積部２１２から広告情報を選択し、選択した情報をＨＴＭＬデータとともに情報処理端末１０２に送信し、情報処理端末１０２に当該ＨＴＭＬデータ及び広告情報が示す表示画面を表示させる。表示データ作成モジュール５０６は、テーブル管理モジュール５０４と協働し、特定のグループＩＤと対応づけられた複数の広告情報を選択してもよい。
【００２６】
判定モジュール５０８は、情報処理端末１０２から通信モジュール５０２経由で受信した複数の広告情報ＩＤに基づき、テーブル管理モジュール５０４と協働し、当該広告情報ＩＤに共通のグループが関連づけられているか判定する。一実施形態において、判定モジュール５０８は、受信した一の広告情報ＩＤに関連づけられているグループＩＤを全て広告情報管理テーブル３００から読み出すとともに、受信した他の広告情報ＩＤに関連づけられているグループＩＤも広告情報管理テーブル３００から読み出し、この読み出したグループＩＤ同士を比較して、共通するグループＩＤが存在する場合には、受信した広告情報ＩＤに共通のグループが関連づけられていると判定する。
【００２７】
グループＩＤモジュール５１０は、判定モジュール５０８において、受信した広告情報ＩＤの組に同一のグループＩＤが割り当てられていると判定された場合に、当該グループＩＤに対応づけられた所定の処理を実行する。このグループＩＤに対応づけられた処理には、情報処理端末１０２のユーザへのポイントの付与が含まれる。ポイントを付与されたユーザは、このポイントを消費することにより、携帯電話の利用料金への充当等の様々な特典を利用することができる。また、グループＩＤモジュール５１０は、特定のウェブサイトへアクセスするためのパスワードを情報処理端末１０２のユーザに発行することができる。例えば、当該グループＩＤと関連づけられている広告情報に関連する販売用ウェブサイトや、商品に関連するイベントの告知等の様々な情報を提供するウェブサイトへアクセスするためのパスワードが発行され、この発行されたパスワードが当該ウェブサイトのＵＲＬとともに広告情報ＩＤを送信した情報処理端末１０２へ、通信モジュール５０２を介して送信される。
【００２８】
続いて、図６を参照し、本発明の一実施形態における処理手順について説明する。図６は、本発明の一実施形態における処理手順を示すフロー図である。図６に示すフロー図に記述される工程は、上述した装置及びシステムに含まれる要素の一部または全部を用いて実行される。図示され、以下に詳述される工程は、その性質上例示に過ぎず、限定的なものと解釈すべきではない。各工程は図示されたものと異なるシーケンスで実行することが可能である。例えば、フロー図に示される工程に別の工程を追加して本発明の実施形態を実行してもよく、２つ以上の工程が同時に実行されてもよい。
【００２９】
まず、ステップ６０２において、本発明の一実施形態における広告情報の処理手順が開始される。続いて、ステップ６０４において、情報処理端末１０２からの要求に応じて、サーバ装置１０４が提供する広告情報提供サイトのトップページを表すＨＴＭＬデータがサーバ装置１０４から情報処理端末１０２へダウンロードされる。このトップページを表すＨＴＭＬデータには、表示データ作成モジュール５０６の制御に従って、広告情報蓄積部２１２の複数の広告情報が埋め込まれる。
【００３０】
続いて、ステップ６０６において、情報処理端末１０２は、ダウンロードしたトップページ及び広告情報をディスプレイに表示する。図４は、このトップページの表示例である。ユーザは、表示されたトップページにおいて、テキスト表示領域４０４、４０６、４０８に表示されたテキスト情報に関連すると思われる広告情報を広告情報表示領域４０２から選択し、選択した広告情報を、入力領域４１０、４１２、４１４のいずれかに入力する。広告情報の選択処理及び入力処理は、入力領域４１０、４１２、４１４のいずれかに所定数の広告情報が入力されるか、ユーザによって入力完了の確認がされるまで繰り返し行われる。
【００３１】
続いて、ステップ６０８において、入力領域４１０、４１２、４１４のいずれかに所定数の広告情報が入力されるか、又は、ユーザによって入力完了が指示されると、情報処理端末１０２は、入力された複数の広告情報をそれぞれ識別する複数の広告情報ＩＤを互いに関連づけてサーバ装置１０４に送信する。例えば、入力領域４１０に、二つの広告情報が入力された場合に、当該二つの広告情報を特定する広告情報ＩＤ同士を関連づけてサーバ装置１０４に送信する。例えば、広告情報ＩＤが「２０４１」の広告情報と広告情報ＩＤが「５００７」の広告情報が入力された場合には、この二つの広告情報ＩＤ「２０４１」及び「５００７」を互いに関連づけてサーバ装置５０４に送信する。
【００３２】
続いて、ステップ６１０において、サーバ装置１０４は、広告情報管理テーブル３００を参照し、受信した一組の広告情報ＩＤ「２０４１」及び「５００７」に同じグループＩＤが割り当てられているか確認する。受信した複数の広告情報ＩＤに同一のグループＩＤが割り当てられていることを確認する処理は、例えば、外部メモリ２０６に格納されたアプリケーションソフトによって実行される。図３に示すとおり、広告情報ＩＤ「２０４１」には、二つのグループＩＤ「Ａ２４」及び「Ｃ８」が割り当てられており、広告情報ＩＤ「５００７」には三つのグループＩＤ「Ａ４」、「Ａ２４」及び「Ｂ４０」が割り当てられている。したがって、サーバ装置１０４は、受信した広告情報ＩＤの組に同一のグループＩＤが割り当てられていると判定する。一方、広告情報ＩＤ「２０４１」と「２０４２」を受信した場合には、共通のグループＩＤが存在しないので、受信した広告情報ＩＤの組に同一のグループＩＤが割り当てられていないと判定する。
【００３３】
続いて、ステップ６１０において受信した広告情報ＩＤの組に同一のグループＩＤが割り当てられていると判定された場合には、ステップ６１２において、当該グループＩＤに対応づけられた所定の処理が実行される。この所定の処理には、情報処理端末１０２のユーザへポイント付与処理や、特定のウェブサイトへアクセスするためのパスワードの発行等の処理が含まれる。
【００３４】
以上説明したように、本発明の実施形態によれば、特定のグループに関連づけられた複数の広告情報が情報処理端末１０２の表示画面に選択可能に表示され、選択された広告情報の組み合わせに応じて、特定のグループに関連づけられた処理が実行される。したがって、情報処理端末１０２のユーザの相当数が、表示された複数の広告情報の中から同一のグループに属する広告情報の組を探そうと試みると予想できる。例えば、表示されている広告情報のうち、一の広告情報に関心がない場合であっても、その広告情報と同一グループに属する他の広告情報に関心があれば、当該他の広告情報と関連のある広告情報を探すことにより当該一の広告情報にも自然とユーザの関心を向けることができる。このように、本発明の実施形態においては、互いに無関係な広告情報を提供する場合と比較して、ユーザの関心をより多くの広告情報へ向けることができる。
【００３５】
本明細書で説明される処理及び手順は、実施形態中で明示的に説明されたものに限定されず、ソフトウェア、ハードウェアまたはこれらの任意の組み合わせによって実現される。より具体的には、本明細書で説明される処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【００３６】
本明細書中で説明される処理及び手順が単一の装置、ソフトウェアまたはコンポーネントによって実行される旨が説明されたとしても、そのような処理または手順は複数の装置、ソフトウェアまたはコンポーネントによって実行され得る。また、本明細書中で説明されるデータ、テーブルまたはデータベースが単一のメモリに格納される旨説明されたとしても、そのようなデータ、テーブルまたはデータベースを単一の装置に備えられた複数のメモリまたは複数の装置に分散して配置された複数のメモリに分散して格納することが可能である。さらに、本明細書において説明されるソフトウェアおよびハードウェアの要素は、それらをより少ない構成要素に統合して、またはより多い構成要素に分解することによって実現することも可能である。本明細書において、特定の機能がユーザまたは操作者による操作に応じて実行される旨説明されたとして、かかる機能はコンピュータ装置によって所定の設定に従って自動的に実行され得る。このように、本明細書に示された実施形態は、本発明の趣旨を逸脱しない範囲で多くの変更および変型が可能である。
【符号の説明】
【００３７】
１０２ａ、１０２ｂ、１０２ｃ  情報処理端末
１０４  サーバ装置
３００  広告情報管理テーブル
５０２  通信モジュール
５０４  テーブル管理モジュール
５０６  表示データ作成モジュール
５０８  判定モジュール
５１０  グループＩＤモジュール
【図１】
2013008080.tif 000003
【図２】
2013008080.tif 000004
【図３】
2013008080.tif 000005
【図４】
2013008080.tif 000006
【図５】
2013008080.tif 000007
【図６】
2013008080.tif 000008